(57)【特許請求の範囲】
【請求項１】
プレッシャーキャップが設けられた膨張タンク、この膨張タンクに設けられてその膨張タンク内の暖房水の水位低下を検出する水位検知電極、前記膨張タンク内の暖房水を放熱器に循環させる循環ポンプ、及び暖房水を加熱する熱交換器を有する密閉式暖房回路と、前記水位検知電極の検出信号に基づいて暖房水補給電磁弁を開弁し、前記密閉式暖房回路に水道水を自動補給する暖房水補給手段とを備えた温水暖房装置の熱源機において、
前記膨張タンクには、前記暖房水補給電磁弁の開弁時に開弁されて前記膨張タンク内を大気に開放する電動開閉弁を有してなる開閉装置が設けられていることを特徴とする温水暖房装置の熱源機。
【発明の詳細な説明】
【０００１】
【発明の属する技術分野】
本発明は、暖房水を放熱器に循環供給して暖房する温水暖房装置に関し、特に、密閉式暖房回路に水道水を暖房水として自動補給できるようにした温水暖房装置の熱源機に関する。
【０００２】
【従来の技術】
従来、密閉式暖房回路に水道水を暖房水として自動補給できるようにした温水暖房装置の熱源機１は、図２に示すように、ケーシング２を有しており、このケーシング２内には給湯管３が配設され、この給湯管３の一端には給水継手４を介して給水本管５が接続され、給湯管３の他端には蛇口６が設けられ、給湯管３の途中には給湯用バーナ７にて加熱される給湯用熱交換器８が設けられている（例えば、特開平８−２４０３２１号参照）。
【０００３】
また、ケーシング２内には密閉式暖房回路９が設けられ、この密閉式暖房回路９は、両端部に往きヘッダー１０と戻りヘッダー１１がそれぞれ連結されるとともに、通常の水道圧（約１．４ｋｇｆ／ｃｍ2 ）より小さいゲージ圧（例えば、０．９ｋｇｆ／ｃｍ2 ）で開弁するプレッシャーキャップ１２が設けられた膨張タンク１３と、この膨張タンク１３内の暖房水を循環させる循環ポンプ１４と、暖房用バーナ１５にて加熱されて暖房水を加熱する暖房用熱交換器１６とを、暖房用配管９Ａ、９Ｂにて順次接続することにより構成されている。
【０００４】
前記膨張タンク１３には、膨張タンク１３内の暖房水の下限水位を検出する下限水位検知電極１７と上限水位を検出する上限水位検知電極（図示せず）がそれぞれ設けられ、膨張タンク１３の近傍にはリザーブタンク１８が設けられ、このリザーブタンク１８は連絡パイプ１９を介して膨張タンク１３のプレッシャーキャップ１２に連絡されている。
【０００５】
前記給湯管３の給水継手４近くと前記膨張タンク１３との間には、水道水を膨張タンク１３に補給する暖房水補給管２０が接続されており、この暖房水補給管２０には、手動で開閉する暖房水補給停止バルブ２１と、暖房水補給電磁弁２２と、大気開放弁２３がその順に設けられている。
【０００６】
２４、２４は前記往きヘッダー１０と戻りヘッダー１１との間に接続されたファンコンベクター等の外部放熱器、２５は前記暖房用配管９Ａと９Ｂとの間に設けられたバイパス管、２６は給排気ファンである。
【０００７】
上記した従来構成の温水暖房装置の熱源機１は、暖房水補給管２０に設けられた暖房水補給停止バルブ２１を開弁させた状態にしておき、その状態で、密閉式暖房回路９内の暖房水が減少して膨張タンク１３内の水位が低下すると、その水位低下を下限水位検知電極１７が検出し、その検出信号に基づいて暖房水補給電磁弁２２が開弁する。この暖房水補給電磁弁２２の開弁により、給水本管５から給水継手４を介して給湯管３に供給された水道水が暖房水補給管２０に供給され、暖房水補給停止バルブ２１、暖房水補給電磁弁２２及び大気開放弁２３を介して膨張タンク１３内へ暖房水として供給される。この時、膨張タンク１６のプレッシャーキャップ１２は、通常の水道圧（約１．４ｋｇｆ／ｃｍ2 ）より小さいゲージ圧（例えば、０．９ｋｇｆ／ｃｍ2 ）で開弁するようになっているので、膨張タンク１３内への水道水の注水が行われる。
【０００８】
【発明が解決しようとする課題】
ところで、上述した従来構成のものでは、水道圧が何らかの原因で、プレッシャーキャップ１２のゲージ圧（例えば、０．９ｋｇｆ／ｃｍ2 ）よりも低下した場合や、低い場合には、密閉式暖房回路９に水道水を自動補給できないという問題があった。
【０００９】
本発明は、上述の実情に鑑みてなされたものであり、水道圧が低下した場合でも、密閉式暖房回路への水道水の自動補給が、何ら支障無く行えるようにすることを目的としている。
【００１０】
【課題を解決するための手段】
この発明では、プレッシャーキャップが設けられた膨張タンク、この膨張タンクに設けられてその膨張タンク内の暖房水の水位低下を検出する水位検知電極、前記膨張タンク内の暖房水を放熱器に循環させる循環ポンプ、及び暖房水を加熱する熱交換器を有する密閉式暖房回路と、前記水位検知電極の検出信号に基づいて暖房水補給電磁弁を開弁し、前記密閉式暖房回路に水道水を自動補給する暖房水補給手段とを備えた温水暖房装置の熱源機において、前記膨張タンクには、前記暖房水補給電磁弁の開弁時に開弁されて前記膨張タンク内を大気に開放する電動開閉弁を有してなる開閉装置が設けられている構成である。
【００１１】
【発明の実施の形態】
以下、本発明の一実施形態例を図１に基づいて説明するが、図２の従来技術と同一構成部分は同一符号を付して説明を省略する。即ち、前記膨張タンク１３の上部には、暖房水補給管２０に設けられた暖房水補給電磁弁２２の開閉動作と略同時に開閉して、暖房水補給電磁弁２２の開動作時に膨張タンク１３内を大気に開放する開閉装置２７が設けられている。そして、この開閉装置２７は通気管２７Ａとこの通気管２７Ａに設けられた電磁開閉弁等の電動開閉弁２７Ｂにて構成されている。
【００１２】
本発明による温水暖房装置の熱源機１は以上のように構成されているので、この熱源機１による給湯に際しては、給水本管５から給水継手４を介して給湯管３に供給された水道水は、給湯用熱交換器８で熱交換されて昇温され、湯となって蛇口６から供給される。
【００１３】
一方、熱源機１による暖房に際しては、循環ポンプ１４の回転駆動により、膨張タンク１３内の暖房水は、密閉式暖房回路９の暖房用配管９Ａ内を流れ、暖房用熱交換器１６で加熱されて温度上昇した後、往きヘッダー１０を経由して放熱器２４、２４に供給され、ここで放熱されて暖房が行われた後、戻りヘッダー１１及び暖房用配管９Ｂを経て膨張タンク１３に戻される。
【００１４】
前記した熱源機１による暖房中に、膨張タンク１３内の暖房水が不足してくると、リザーブタンク１８内の水が連絡パイプ１９を経て膨張タンク１３内に暖房水として補給されるが、それでも不十分な場合は、膨張タンク１３内の水位低下を下限水位検知電極１７が検出し、その検出信号に基づいて暖房水補給電磁弁２２が開弁すると略同時に、開閉装置２７の電動開閉弁２７Ｂが開弁する。そして、前記暖房水補給電磁弁２２の開弁動作で、給水本管５から給水継手４を介して給湯管３に供給された水道水が、暖房水補給管２０に供給され、暖房水補給停止バルブ２１、暖房水補給電磁弁２２及び大気開放弁２３を介して膨張タンク１３内へ暖房水として供給される。
【００１５】
ここで、暖房水補給電磁弁２２が開弁すると略同時に、開閉装置２７の電動開閉弁２７Ｂが開弁して、膨張タンク１３内を大気に開放させるため、例え、給水本管５を流れる水道水の圧力が、プレッシャーキャップ１２のゲージ圧（例えば、０．９ｋｇｆ／ｃｍ2 ）よりも低下した場合や、もともと低い場合であっても、膨張タンク１３内に水道水を自動補給することが可能となり、密閉式暖房回路９内への水道水の注水が、何ら支障無く行える。
【００１６】
尚、上述の一実施形態例では、熱源機１に給湯器が一体に組み込まれているが、温水暖房専用の熱源機であっても良く、また、風呂釜付きの給湯暖房機であっても良い。
【００１７】
【発明の効果】
以上説明したように、本発明によれば、プレッシャーキャップが設けられた膨張タンク、この膨張タンクに設けられてその膨張タンク内の暖房水の水位低下を検出する水位検知電極、前記膨張タンク内の暖房水を放熱器に循環させる循環ポンプ、及び暖房水を加熱する熱交換器を有する密閉式暖房回路と、前記水位検知電極の検出信号に基づいて暖房水補給電磁弁を開弁し、前記密閉式暖房回路に水道水を自動補給する暖房水補給手段とを備えた温水暖房装置の熱源機において、前記膨張タンクには、前記暖房水補給電磁弁の開弁時に開弁されて前記膨張タンク内を大気に開放する電動開閉弁を有してなる開閉装置が設けられている構成であるから、水道圧が通常よりも低い場合や、水道圧が低下した場合でも、人の手を煩わすこと無く、密閉式暖房回路への水道水の自動補給を確実に行うことができ、利便性が向上する。
【図面の簡単な説明】
【図１】  本発明による温水暖房装置の熱源機の一実施形態例を示す構成図である。
【図２】  従来例を示す温水暖房装置の熱源機の構成図である。
【符号の説明】
１      熱源機
９      密閉式暖房回路
１２      プレッシャーキャップ
１３      膨張タンク
１４      循環ポンプ
１６      暖房用熱交換器（熱交換器）
２０      暖房水補給管（暖房水補給手段）
２２      暖房水補給電磁弁（暖房水補給手段）
２４      放熱器
２７      開閉装置
２７Ｂ 電動開閉弁
【図１】
0003702055.tif 000002
【図２】
0003702055.tif 000003